(57)【特許請求の範囲】
【請求項１】
冷却室が形成された冷蔵庫本体と、
前記冷却室を開閉するドアと、
前記ドアに形成される製氷室と、
前記冷蔵庫本体の側壁に備えられて前記製氷室に冷気を供給する側壁冷気ダクトとを含み、
前記製氷室は、
一側が開口した製氷室本体と、
前記製氷室の第１側壁に備えられて前記冷蔵庫本体に連結される連結ダクトと、
前記製氷室の第２側壁に回動可能に備えられて前記製氷室を開閉する製氷室ドアと、
前記第１側壁に突設される突出部とを含み、
前記連結ダクトは、一領域が前記突出部の内部に配置され、
前記連結ダクトは、前記側壁冷気ダクトに接触する外側端部が、前記製氷室の内部に配置される内側端部に比べて、前記ドアからさらに離隔するように、前記製氷室ドアの幅方向に対して傾斜して配置される、製氷室を備えた冷蔵庫。
【請求項２】
前記製氷室ドアには、製氷室ドアポケットが備えられる、請求項１に記載の製氷室を備えた冷蔵庫。
【請求項３】
前記製氷室ドアは、断熱材を備える、請求項１又は２に記載の製氷室を備えた冷蔵庫。
【請求項４】
前記断熱材は、前記製氷室ドアの外板と内板との間に発泡材を充填して形成される、請求項３に記載の製氷室を備えた冷蔵庫。
【請求項５】
前記製氷室ドアは、前記突出部の一側に配置されるように形成される、請求項１〜４のいずれか一項に記載の製氷室を備えた冷蔵庫。
【請求項６】
前記突出部は、複数で構成され、上下に離隔して配置される、請求項５に記載の製氷室を備えた冷蔵庫。
【請求項７】
前記突出部間には、前記製氷室ドアが閉じた状態を維持する製氷室ドア固定部が備えられる、請求項６に記載の製氷室を備えた冷蔵庫。
【請求項８】
前記突出部は、端部が前記製氷室ドアの外面と同一平面上に配置される、請求項５〜７のいずれか一項に記載の製氷室を備えた冷蔵庫。
【請求項９】
前記突出部は、上下に長い単一体に形成される、請求項５に記載の製氷室を備えた冷蔵庫。
【請求項１０】
前記突出部は、前記製氷室ドアの外面と段差を有するように形成される、請求項９に記載の製氷室を備えた冷蔵庫。
【請求項１１】
前記製氷室ドアは、前記突出部の外側に配置されるように延びたカバー部を備える、請求項１０に記載の製氷室を備えた冷蔵庫。
【請求項１２】
冷蔵室が備えられた冷蔵庫本体と、
前記冷蔵室を開閉する冷蔵室ドアと、
前記冷蔵室ドアに形成される製氷室と、
前記冷蔵庫本体の側壁の内部に備えられて前記製氷室に冷気を供給する側壁冷気ダクトとを含み、
前記製氷室は互いに平行に配置される第１側壁及び第２側壁を備え、前記第１側壁には前記第２側壁よりも突出した突出部が形成され、
前記製氷室は、
前記第２側壁に回動可能に備えられて前記製氷室を開閉する製氷室ドアと、
前記第１側壁の内部に配置されて前記冷蔵庫本体に連結される連結ダクトとを含み、
前記連結ダクトは、一領域が前記突出部の内部に配置され、
前記連結ダクトは、前記側壁冷気ダクトに接触する外側端部が、前記製氷室の内部に配置される内側端部に比べて、前記冷蔵室ドアからさらに離隔するように、前記製氷室ドアの幅方向に対して傾斜して配置される、製氷室を備えた冷蔵庫。
【請求項１３】
前記側壁冷気ダクトは、一端が前記冷凍室に連通し、他端が前記連結ダクトに連結される、請求項１２に記載の製氷室を備えた冷蔵庫。
【請求項１４】
上部の冷蔵室及び下部の冷凍室を備え、一側壁に前記冷凍室に連通する側壁冷気ダクトが備えられる冷蔵庫本体と、
前記冷蔵室を開閉する冷蔵室ドアと、
前記冷蔵室ドアに備えられる製氷室とを含み、
前記製氷室は、
一側が開口した製氷室本体と、
前記製氷室の第１側壁に備えられて前記側壁冷気ダクトに連結される連結ダクトと、
前記製氷室の第２側壁に回動可能に備えられて前記製氷室を開閉する製氷室ドアと、
前記第２側壁よりも突出するように前記第１側壁に形成される突出部とを含み、
前記連結ダクトは、一領域が前記突出部の内部に配置され、
前記連結ダクトは、前記側壁冷気ダクトに接触する外側端部が、前記製氷室の内部に配置される内側端部に比べて、前記冷蔵室ドアからさらに離隔するように、前記製氷室ドアの幅方向に対して傾斜して配置される、製氷室を備えた冷蔵庫。
【発明の詳細な説明】
【技術分野】
【０００１】
本発明は、製氷室を備えた冷蔵庫に関し、特に、製氷室の冷気流路を変更することなく、冷却室の庫内空間を増大できるようにした、製氷室を備えた冷蔵庫に関する。
【背景技術】
【０００２】
周知のように、冷蔵庫は、食品を冷蔵又は冷凍して新鮮に保管できるようにする装置である。冷蔵庫は、冷蔵室及び冷凍室を備えるようにしてもよく、その配置形態によって、いわゆるトップフリーザ、ボトムフリーザ、及びサイドバイサイド冷蔵庫に分けられる。
【０００３】
図１は従来の冷蔵庫を示す斜視図であり、図２は図１の製氷室ドアの開放状態を示す斜視図である。
【０００４】
図１及び図２に示すように、冷蔵庫は、冷蔵室２０及び冷凍室３０を備えた冷蔵庫本体１０と、冷蔵室２０及び冷凍室３０をそれぞれ開閉する冷蔵室ドア２５及び冷凍室ドア３５とを含んでもよい。
【０００５】
冷蔵室ドア２５は複数で構成されてもよい。冷蔵室ドア２５は冷蔵庫本体１０にそれぞれ回動可能に結合されてもよい。
【０００６】
冷凍室ドア３５は前後に摺動可能に構成されてもよい。
【０００７】
冷蔵室ドア２５には、冷蔵室２０を開放することなく水又は氷を取り出せるように、ディスペンサ２７が備えられてもよい。
【０００８】
冷蔵室ドア２５には、氷を製造できるように製氷室５０が備えられてもよい。製氷室５０には、製氷室５０を開閉できるように製氷室ドア５５が備えられてもよい。製氷室５０の内部には、氷を製造する製氷装置６０が備えられてもよい。製氷室５０の内部には、製氷装置６０で製造された氷を収納して貯蔵するアイスバンク６５が備えられてもよい。
【０００９】
一方、冷蔵庫本体１０には、製氷室５０に冷気を供給できるように側壁冷気ダクト２８が備えられてもよい。側壁冷気ダクト２８は複数で構成されてもよい。側壁冷気ダクト２８の１つは冷凍室３０で生成された冷気が製氷室５０に供給される冷気供給流路であり、他の１つは製氷室５０を経由した冷気が冷凍室３０に復帰する冷気復帰流路でもよい。
【００１０】
製氷室５０の一側壁には、側壁冷気ダクト２８と連結されるように連結ダクト５３が備えられてもよい。
【００１１】
ところが、このような従来の冷蔵庫においては、製氷室５０の一領域が冷蔵室２０の内部に挿入されるため、製氷室５０の幅が大きい場合、その分だけ冷蔵室２０の庫内空間が減少する。
【００１２】
また、製氷室ドア５５のヒンジ結合領域の厚さが薄いため、断熱性能が低下することがある。さらに、内部に発泡材を充填する際に発泡材が十分に流入できなくなることがある。
【００１３】
また、製氷室５０の一側壁の内部に連結ダクト５３が備えられており、製氷室５０の幅を増減させるためには、冷気流路の構造、より具体的には連結ダクト５３及び側壁冷気ダクト２８の構造を全て変更しなければならない。
【００１４】
製氷室５０の冷気流路の構造を変更することなく製氷室ドア５５の厚さを増加させるためには、製氷室ドア５５の外側、より具体的には冷蔵室２０側に製氷室ドア５５の厚さを増加させなければならない。従って、製氷室ドア５５の厚さが増加する分だけ冷蔵室２０の（貯蔵）空間が減少する。
【発明の概要】
【発明が解決しようとする課題】
【００１５】
本発明は、このような問題を解決するためになされたもので、製氷室の突出幅（厚さ）を減少させることができる、製氷室を備えた冷蔵庫を提供することを目的とする。
【００１６】
本発明の他の目的は、製氷室の冷気流路を変更することなく、製氷室ドアの厚さを確保することができる、製氷室を備えた冷蔵庫を提供することにある。
【００１７】
本発明のさらに他の目的は、製氷室の冷気流路を変更することなく、製氷室ドアの厚さを確保することができ、冷却室（貯蔵空間）を増大させることができる、製氷室を備えた冷蔵庫を提供することにある。
【課題を解決するための手段】
【００１８】
上記目的を達成するために、本発明は、冷却室が形成された冷蔵庫本体と、前記冷却室を開閉するドアと、前記ドアに形成される製氷室とを含み、前記製氷室は、一側が開口した製氷室本体と、前記製氷室の第１側壁に備えられて前記冷蔵庫本体に連結される連結ダクトと、前記製氷室の第２側壁に備えられて前記製氷室を開閉する製氷室ドアと、前記第１側壁に突設される突出部とを含む、製氷室を備えた冷蔵庫を提供する。
【００１９】
ここで、前記連結ダクトは、一領域が前記突出部の内部に配置されてもよい。
【００２０】
前記連結ダクトは、前記製氷室ドアの幅方向に対して傾斜して配置されてもよい。
【００２１】
前記製氷室ドアには、製氷室ドアポケットが備えられてもよい。
【００２２】
前記製氷室ドアは、断熱材を備えるように構成されてもよい。
【００２３】
前記断熱材は、前記製氷室ドアの外板と内板との間に発泡材を充填して形成されてもよい。
【００２４】
前記突出部は、複数で構成され、上下に離隔して配置されてもよい。
【００２５】
前記突出部間には、前記製氷室ドアが閉じた状態を維持する製氷室ドア固定部が備えられてもよい。
【００２６】
前記突出部は、上下に長い単一体に形成されてもよい。
【００２７】
前記製氷室ドアは、前記突出部の一側に配置されるように形成されてもよい。
【００２８】
前記突出部は、端部が前記製氷室ドアの外面と同一平面上に配置されてもよい。
【００２９】
前記突出部は、前記製氷室ドアの外面と段差を有するように形成されてもよい。
【００３０】
前記製氷室ドアは、前記突出部の外側に配置されるように延びたカバー部を備えて構成されてもよい。
【００３１】
一方、本発明の他の態様によれば、冷蔵室が備えられた冷蔵庫本体と、前記冷蔵室を開閉する冷蔵室ドアと、前記冷蔵室ドアに形成される製氷室とを含み、前記製氷室は互いに平行に配置される第１側壁及び第２側壁を備え、前記第１側壁には前記第２側壁よりも突出した突出部が形成され、前記製氷室は、前記第２側壁に備えられて前記製氷室を開閉する製氷室ドアと、前記第１側壁の内部に配置されて前記冷蔵庫本体に連結される連結ダクトとを含む、製氷室を備えた冷蔵庫が提供される。
【００３２】
ここで、前記冷蔵室の下側には、冷凍室が備えられ、前記冷蔵庫本体には、一端が前記冷凍室に連通し、他端が前記連結ダクトに連結される側壁冷気ダクトが備えられてもよい。
【００３３】
そして、本発明のさらに他の態様によれば、上部の冷蔵室及び下部の冷凍室を備え、一側壁に前記冷凍室に連通する側壁冷気ダクトが備えられる冷蔵庫本体と、前記冷蔵室を開閉する冷蔵室ドアと、前記冷蔵室ドアに備えられる製氷室とを含み、前記製氷室は、一側が開口した製氷室本体と、前記製氷室の第１側壁に備えられて前記側壁冷気ダクトに連結される連結ダクトと、前記製氷室の第２側壁に備えられて前記製氷室を開閉する製氷室ドアと、前記第２側壁よりも突出するように前記第１側壁に形成される突出部とを含む、製氷室を備えた冷蔵庫が提供される。
【図面の簡単な説明】
【００３４】
【図１】従来の冷蔵庫を示す斜視図である。
【図２】図１の製氷室ドアの開放状態を示す斜視図である。
【図３】本発明の一実施形態による製氷室を備えた冷蔵庫の斜視図である。
【図４】図３の製氷室の拡大図である。
【図５】図３の製氷室の拡大図である。
【図６】図３の製氷室ドアの閉鎖状態を示す平面図である。
【図７】図６の製氷室ドアポケットの脱着状態を示す図である。
【図８】図７の平断面図である。
【図９】図８の要部拡大図である。
【図１０】図３の製氷室ドアの変形例である。
【図１１】図４の突出部の変形例である。
【発明を実施するための形態】
【００３５】
以下、添付図面を参照して本発明について詳細に説明する。
【００３６】
図３に示すように、製氷室を備えた冷蔵庫は、冷却室が形成された冷蔵庫本体１１０と、冷却室を開閉するドアと、ドアに形成される製氷室１５０とを含み、製氷室１５０は、一側が開口した製氷室本体１５１と、製氷室１５０の第１側壁１６１に備えられて冷蔵庫本体１１０に連結される連結ダクト１７１と、製氷室１５０の第２側壁１６２に備えられて製氷室１５０を開閉する製氷室ドア１９０と、第１側壁１６１に突設される突出部１８１とを含んでもよい。ここで、冷却室とは、一般に冷蔵室１２０や冷凍室１３０などのように食品を収納して冷却することのできる空間をいい、冷蔵庫本体１１０は、冷蔵室１２０及び冷凍室１３０を備えて構成されてもよい。
【００３７】
冷蔵庫本体１１０の上部領域には、冷蔵室１２０が備えられてもよい。冷蔵室１２０の前面には、冷蔵室１２０を開閉できるように冷蔵室ドア１２５が備えられてもよい。冷蔵室ドア１２５は複数で構成されてもよい。冷蔵室ドア１２５は、冷蔵庫本体１１０に回動可能に結合されてもよい。
【００３８】
冷蔵庫本体１１０の下部領域には、冷凍室１３０が備えられてもよい。冷凍室１３０には、冷凍室１３０を開閉できるように冷凍室ドア１３５が備えられてもよい。冷凍室ドア１３５は、冷蔵庫本体１１０の前後方向に摺動可能に構成されてもよい。
【００３９】
冷蔵庫本体１１０には、冷蔵室１２０及び冷凍室１３０に冷気を供給できるように、冷凍サイクルが備えられてもよい。冷凍サイクルは、冷媒を圧縮する圧縮機、冷媒を放熱させて凝縮する凝縮器、冷媒を減圧膨張させる膨脹装置、及び周囲の潜熱の吸収により冷媒を蒸発させる蒸発器を備えて構成されてもよい。
【００４０】
一方、冷蔵室ドア１２５には、冷蔵室１２０を開放することなく水又は氷を取り出せるように、ディスペンサが備えられてもよい。
【００４１】
ディスペンサの上側には、図４及び図５に示すように、氷を製造できるように、製氷室１５０が冷蔵室１２０と区画されて形成されてもよい。製氷室１５０の一側には、製氷室１５０に冷気を供給できるように、冷蔵庫本体１１０に連結される連結ダクト１７１が備えられてもよい。これに対応して、冷蔵庫本体１１０には、冷凍室１３０で生成された冷気を製氷室１５０に供給できるように、側壁冷気ダクト１２８が設けられてもよい。側壁冷気ダクト１２８は冷蔵庫本体１１０の側壁の内部に形成されてもよい。側壁冷気ダクト１２８は一対で形成されてもよい。側壁冷気ダクト１２８の一方は冷凍室１３０の冷気が製氷室１５０に供給される冷気供給流路であり、他方は製氷室１５０を経由した冷気が冷凍室１３０に復帰する冷気復帰流路でもよい。
【００４２】
製氷室１５０の内部には、氷を製造する製氷装置１５６が収容設置されてもよい。製氷装置１５６の下側には、製氷装置１５６で製造された氷を収納できるように、アイスバンク１５７が備えられてもよい。アイスバンク１５７は、貯蔵された氷を外部に取り出せるように、ディスペンサと連結されていてもよい。
【００４３】
製氷室１５０は、内部に収容空間が形成される製氷室本体１５１と、製氷室本体１５１を開閉する製氷室ドア１９０とを含んでもよい。製氷室本体１５１は、後方に開口するように構成されてもよい。
【００４４】
製氷室本体１５１は、冷蔵室ドア１２５の上下方向に沿って配置される第１側壁１６１及び第２側壁１６２と、第１側壁１６１及び第２側壁１６２の上端及び下端をそれぞれ連結するように配置される上部側壁１６３及び下部側壁１６４とを含んでもよい。ここで、第１側壁１６１は、冷蔵室ドア１２５の閉鎖時に冷蔵庫本体１１０の側壁に近接する側壁でもよい。製氷室本体１５１は、冷蔵室ドア１２５の製造時に一体に形成されてもよい。製氷室本体１５１の内部には、冷蔵室ドア１２５の形成時に発泡材を充填することにより形成される断熱材が備えられてもよい。
【００４５】
第１側壁１６１には、側壁冷気ダクト１２８と連結されるように、連結ダクト１７１が備えられてもよい。連結ダクト１７１は、上下に離隔して配置されてもよい。
【００４６】
第２側壁１６２には、製氷室ドア１９０が回動可能に結合されてもよい。製氷室ドア１９０の一側（図の左側）上端及び下端は、第２側壁１６２に結合されたヒンジ部１５５によりそれぞれ回動可能に支持されるようにしてもよい。
【００４７】
製氷室ドア１９０は、製氷室１５０の後方開口を閉塞する高さ及び幅を有するように構成されてもよい。製氷室ドア１９０は、外板１９１と、外板１９１から離隔して配置される内板１９２と、外板１９１と内板１９２との間に備えられる断熱材１９３とを含んでもよい。ここで、断熱材１９３は、外板１９１と内板１９２との間に発泡材を充填し、その発泡体により構成されてもよい。
【００４８】
製氷室ドア１９０には、図６及び図７に示すように、食品を収納できるように製氷室ドアポケット２１５が備えられてもよい。製氷室ドアポケット２１５は着脱可能に構成されてもよい。製氷室ドア１９０の外面には、製氷室ドアポケット２１５を着脱可能に支持する製氷室ドアポケット支持部２１１が形成されてもよい。製氷室ドアポケット支持部２１１はＬ字状に形成されてもよい。
【００４９】
一方、製氷室ドア１９０は、上部側壁１６３及び下部側壁１６４に対応する高さと、第１側壁１６１と第２側壁１６２の外面との間の長さより小さい幅とを有するように形成されてもよい。より具体的には、製氷室ドア１９０は、下部側壁１６４の下面から上部側壁１６３の上面の長さに対応する高さを有すると共に、第１側壁１６１の外面から第１側壁１６１の内面と外面との間に対応する幅を有するように構成されてもよい。
【００５０】
製氷室ドア１９０の内面には、製氷室本体１５１の開口縁に接触して製氷室１５０の冷気漏れを抑制する製氷室ドアガスケット１９５が備えられてもよい。製氷室ドアガスケット１９５は略四角環状に形成されてもよい。より具体的には、製氷室ドアガスケット１９５は、上部側壁１６３、下部側壁１６４、第１側壁１６１、及び第２側壁１６２に接触するように構成されてもよい。製氷室ドアガスケット１９５は弾性部材で構成されてもよい。これにより、製氷室ドアガスケット１９５が製氷室本体１５１に弾性的に接触し、従って、冷気漏れを効果的に防止することができる。
【００５１】
一方、第１側壁１６１には、製氷室ドア１９０の一側に配置されるように第１側壁１６１の端部から所定長さ突出した突出部１８１が備えられてもよい。
【００５２】
突出部１８１は、図８に示すように、突出部１８１の端部が製氷室ドア１９０の外面と同一平面上に配置されるように構成されてもよい。これにより、製氷室ドア１９０の閉鎖時に製氷室ドア１９０と突出部１８１間の段差を防止することができる。
【００５３】
突出部１８１の内部には連結ダクト１７１の一領域が配置されるようにしてもよい。
【００５４】
連結ダクト１７１は傾斜して配置されてもよい。より具体的には、連結ダクト１７１は、側壁冷気ダクト１２８に接触する外側端部が、製氷室１５０の内部に配置される内側端部に比べて、冷蔵室ドア１２５からさらに離隔して配置されてもよい。
【００５５】
つまり、製氷室本体１５１の突出長さを全体として増加させるのではなく、第１側壁１６１の一側、すなわち連結ダクト１７１が設けられる領域にのみ突出部１８１を形成することにより、製氷室ドア１９０が冷蔵室１２０側にさらに突出しないようにすると共に、製氷室ドア１９０の厚さを増加させることができる。
【００５６】
より具体的には、図９に示すように、製氷室ドア１９０のヒンジ部が第１側壁１６１に形成される場合、製氷室ドア１９０の断熱のための十分な厚さを確保するためには、製氷室ドア１９０を外側（冷蔵室１２０側）に厚くしなければならず、その分だけ冷蔵室１２０の庫内空間が小さくなることが分かる。ここで、製氷室ドア１９０のヒンジ部が第１側壁１６１に形成される場合、第１側壁１６１には突出部を形成することができない。その理由は、突出部を形成した場合は製氷室ドア１９０が干渉して開放（回動）が困難であるからである。このような点を考慮すると、ヒンジ部が第１側壁１６１に形成される場合は、本発明に比べて製氷室ドア１９０のヒンジ部（ヒンジ軸）が冷蔵室１２０側にさらに突出（移動）し、製氷室ドア１９０の厚さは外側（冷蔵室１２０側）にのみ増大するので、その分（Ｗ）だけ冷蔵室１２０の庫内空間が減少する。
【００５７】
それに対して、本発明によれば、第２側壁１６２にヒンジ部１５５が形成され、第１側壁１６１に突出部１８１が形成されるので、第１側壁１６１及び第２側壁１６２の突出長さが従来技術に比べて小さくなる（短くなる）。これにより、製氷室ドア１９０のヒンジ部（ヒンジ軸）１５５が冷蔵室ドア１２５側にさらに移動することができる。従って、製氷室ドア１９０の厚さを内側方向、すなわち冷蔵室ドア１２５側に増加させることができる。これにより、冷蔵室１２０の庫内空間がその分（Ｗ）だけ広くなる。
【００５８】
突出部１８１は、図４に示すように、上下に所定距離離隔して構成されてもよい。製氷室ドア１９０には、突出部１８１間に挿入されるように挿入部１９７が形成されてもよい。挿入部１９７と突出部１８１との間には、製氷室ドア１９０が製氷室１５０の開口を閉塞した状態を維持できるように、製氷室ドア固定部２２０が形成されてもよい。
【００５９】
製氷室ドア固定部２２０は、磁力により結合状態が維持されるように構成されてもよい。例えば、製氷室ドア固定部２２０は、永久磁石２２１及び磁性体２２２を備えて構成されてもよい。より具体的には、挿入部１９７には、永久磁石２２１と磁性体２２２のいずれか一方を固定結合し、突出部１８１間には、永久磁石２２１と磁性体２２２の他方を結合してもよい。ここで、磁性体２２２は、永久磁石で構成されてもよい。従って、異なる磁極を有する２つの永久磁石が挿入部１９７及び突出部１８１間の領域にそれぞれ配置されて引き寄せ合うことにより、製氷室ドア１９０が不意に開くことを防止することができる。
【００６０】
一方、図１０に示すように、突出部２３１は、製氷室ドア１９０の外面に対して段差（突出長さ差）を有するように構成されてもよい。すなわち、突出部２３１の端部が製氷室ドア１９０の外面より短く突出するように構成されてもよい。
【００６１】
製氷室ドア１９０は、突出部２３１の外側に配置されるように、カバー部２３５を備えてもよい。カバー部２３５は、製氷室ドア１９０の厚さ方向に縮小されて幅方向に延びるように構成されてもよい。これにより、突出部２３１は、カバー部２３５により外部から視覚的に遮断（隠蔽）されるように構成されてもよい。ここで、製氷室ドア１９０の外面には製氷室ドアポケット２１５が備えられてもよく、製氷室ドアポケット２１５はカバー部２３５まで延びるように構成されてもよい。これにより、製氷室ドアポケット２１５の収納空間を増大させることができる。
【００６２】
図１１に示すように、上下に長い単一体により突出部２４１が形成されてもよい。突出部２４１の内部には、連結ダクト１７１の一領域（外側端部１７２）がそれぞれ配置されてもよい。ここで、突出部２４１の突出程度は、その端部が製氷室ドア１９０の外面と同一平面上に配置されるようにしてもよい。また、突出部２４１は、製氷室ドア１９０にカバー部２３５が形成された場合、カバー部２３５の内側に配置される程度に短く突出するように構成されてもよい。
【００６３】
突出部２３１とカバー部２３５との間には、製氷室ドア１９０が閉じたときに製氷室ドア１９０が不意に開くことを防止できるように、製氷室ドア固定部２２０が備えられてもよい。製氷室ドア固定部２２０は、永久磁石２２１及び磁性体２２２（又は永久磁石）を備えて構成されてもよい。
【００６４】
このような構成により、冷蔵室１２０が閉塞されるように冷蔵室ドア１２５を閉じると、製氷室１５０の各連結ダクト１７１と側壁冷気ダクト１２８とが連通する。製氷装置１５６の製氷モード時には、冷凍室１３０で生成された冷気が側壁冷気ダクト１２８を介して製氷室１５０に供給される。側壁冷気ダクト１２８を移動した空気は、連結ダクト１７１を介して製氷室１５０の内部に流入して製氷室１５０を冷却する。これにより、製氷装置１５６では氷が製造される。製氷室１５０を冷却した冷気は、他の連結ダクト１７１を介して製氷室１５０の外部に流出する。流出した冷気は、他の側壁冷気ダクト１２８を移動して冷凍室に復帰する。
【００６５】
前述したように、本発明の一実施形態によれば、製氷室の第１側壁に突出部を形成し、製氷室の第２側壁に製氷室ドアを回動可能に結合することにより、冷却室ドアの内面から突出する製氷室の突出幅を減少させることができる。従って、製氷室の突出幅が減少する分だけ冷却室の庫内空間を増大させることができる。
【００６６】
また、突出部の内側に製氷室と冷蔵庫本体とを連結する連結ダクトを配置することにより、製氷室の冷気流路、より具体的には、製氷室に形成される連結ダクト及び冷蔵庫本体に形成される側壁冷気ダクトの位置及び大きさを変更することなく、製氷室ドアの厚さを確保することができる。
【００６７】
以上、本発明は特定の実施形態について図示及び説明された。しかしながら、本発明は、その思想又は本質的な特徴から外れない範囲内で様々に実施することができ、上記実施形態の詳細な説明の内容により限定されるものではない。
【００６８】
なお、上記詳細な説明に示していない実施形態であっても、添付された特許請求の範囲に定義された技術思想の範囲内で広く解釈されるべきである。また、請求の範囲の技術的範囲とその均等範囲内に含まれるあらゆる変更及び変形は、添付された請求の範囲に含まれるべきである。
【図１】
0005580425.tif 000002
【図２】
0005580425.tif 000003
【図３】
0005580425.tif 000004
【図４】
0005580425.tif 000005
【図５】
0005580425.tif 000006
【図６】
0005580425.tif 000007
【図７】
0005580425.tif 000008
【図８】
0005580425.tif 000009
【図９】
0005580425.tif 000010
【図１０】
0005580425.tif 000011
【図１１】
0005580425.tif 000012